(57)【要約】【課題】各フィルタ同士の接続を正確に、且つ簡単に行う。各フィルタの経年劣化を抑制する。【解決手段】機枠２に収容ケース４が着脱可能に設けられ、収容ケース４には第１〜３接続孔４１ｂ〜４１ｄが形成される。収容空間Ｓ２には、第１フィルタ７ａと逆浸透膜を有する第２フィルタ８ａとが収容される。第１配管１０ａの一端は手動ポンプ３に接続される。第２配管１０ｂの一端が第１接続孔４１ｂに収容空間Ｓ２側から接続され、他端は第１フィルタ７ａに接続される。第１配管１０ａの他端は第１接続孔４１ｂに着脱可能に接続される。第３配管１０ｃの一端が第１フィルタ７ａに接続され、他端が第２フィルタ８ａに接続される。第４配管１０ｄの一端が第２フィルタ８ａに接続され、他端が第２接続孔４１ｃに接続される。第５配管１０ｅの一端が第２フィルタ８ａに、他端が第３接続孔４１ｄに接続される。【選択図】図４
2013248587.tif 000002
【特許請求の範囲】
【請求項１】
機枠と、
該機枠の上部に設けられ、原水を汲み上げる手動ポンプと、
上記機枠の下部に着脱可能に設けられ、内部に収容空間を有するとともに第１〜３接続孔が形成された収容ケースと、
上記収容空間に収容され、濾過フィルタを１つ以上有する第１濾過手段と、
上記収容空間に収容され、孔径が上記第１濾過手段の濾過フィルタより小さい逆浸透膜で形成された濾過フィルタを１つ以上有する第２濾過手段と、
一端が上記手動ポンプに接続された第１配管と、
一端が上記収容ケースの第１接続孔に収容空間側から接続され上記第１配管の他端が上記一端に収容ケース外側から着脱可能に接続されるとともに、他端が上記第１濾過手段に接続された第２配管と、
一端が上記第１濾過手段に接続されるとともに、他端が上記第２濾過手段に接続された第３配管と、
一端が上記第２濾過手段に接続されるとともに、他端が上記収容ケースの第２接続孔に接続され濾過後の浄水を収容ケース外に導出する第４配管と、
一端が上記第２濾過手段に接続されるとともに、他端が上記収容ケースの第３接続孔に接続され濾過後の汚水を収容ケース外に排出する第５配管とを備えたことを特徴とする手動式浄水機。
【請求項２】
請求項１に記載の手動式浄水機において、
上記収容ケースは、直方体形状をなし、
上記機枠は、上記手動ポンプを支持する上部フレーム、上記収容ケース下面に対応する底部フレーム、上記上部フレームと上記底部フレームとを後側で連結する後部フレーム、及び上記上部フレームと上記底部フレームとを前側で連結する前部フレームを備え、これらフレーム間に上記収容ケースを囲う囲み空間が形成されていることを特徴とする手動式浄水機。
【請求項３】
請求項２に記載の手動式浄水機において、
上記後部フレームは、上記底部フレームの水平方向全長に亘って設けられ、該後部フレームには、上記収容ケースを上記囲み空間から引き出す際に水平方向にスライドさせるスライド手段が設けられていることを特徴とする手動式浄水機。
【請求項４】
請求項３に記載の手動式浄水機において、
上記収容ケースは、上記第１及び第２濾過手段を上記収容空間に出し入れするための開口を有するケース本体と、該ケース本体に回動可能に軸支され、上記開口を開閉する蓋体とを備え、
上記前部フレームは、上記底部フレームの一端から他端側中途部に亘って設けられ、上記収容ケースが蓋体を前方に向けて上記囲み空間に収められた状態で上記蓋体の前方に立ちはだかっていることを特徴とする手動式浄水機。
【発明の詳細な説明】
【技術分野】
【０００１】
本発明は、災害等の際に、原水から浄水を製造する手動式浄水機に関する。
【背景技術】
【０００２】
従来より、地震や台風等の災害時のように、電気が使えない状況下になったときのために、原水から浄水を製造する手動式浄水機が知られ、例えば、特許文献１の手動式浄水機は、原水を汲み上げる手動ポンプ、カーボンフィルタで形成された第１フィルタ及び逆浸透膜で形成された第２フィルタを備えている。
【０００３】
上記手動ポンプには、第１配管の一端が接続され、該第１配管の他端は上記第１フィルタに接続されている。また、上記第１フィルタには、第２配管の一端が接続され、該第２配管の他端は上記第２フィルタに接続されている。さらに、当該第２フィルタには、濾過後の浄水を導出する第３配管の一端と、濾過後の汚水を排出する第４配管の一端とが接続されている。
【先行技術文献】
【特許文献】
【０００４】
【特許文献１】登録実用新案第３０９８８７８号公報（段落０００６欄、図２）
【発明の概要】
【発明が解決しようとする課題】
【０００５】
ところで、上述の如き手動式浄水機は、一度使用して長期間使用せずにいると、各フィルタにカビ等が発生するおそれがあるので、次の使用に備えて全てのフィルタを交換しておく必要がある。しかし、特許文献１の手動式浄水機は、全てのフィルタを交換しようとすると、第１〜４配管を全てのフィルタと手動ポンプとから取り外さなければならず作業が煩雑である。また、全てのフィルタを交換する際、原水を通過させる順番が逆となるように各フィルタを繋いでしまうと、浄水の製造ができなくなってしまう。さらに、各フィルタは埃や湿気等を起因とした経年劣化を出来るだけ防ぐ必要があるが、このことについて特許文献１では何ら考慮されていない。
【０００６】
本発明は、斯かる点に鑑みてなされたものであり、その目的とするところは、全てのフィルタを交換する際、各フィルタ同士の接続を正確に、且つ、簡単に行うことができ、しかも、各フィルタの経年劣化を抑制できる手動式浄水機を提供することにある。
【課題を解決するための手段】
【０００７】
上記の目的を達成するために、本発明は、各フィルタを収容ケースに収容し、各フィルタを交換する際に収容ケース毎交換できるようにしたことを特徴とする。
【０００８】
すなわち、第１の発明では、機枠と、該機枠の上部に設けられ、原水を汲み上げる手動ポンプと、上記機枠の下部に着脱可能に設けられ、内部に収容空間を有するとともに第１〜３接続孔が形成された収容ケースと、上記収容空間に収容され、濾過フィルタを１つ以上有する第１濾過手段と、上記収容空間に収容され、孔径が上記第１濾過手段の濾過フィルタより小さい逆浸透膜で形成された濾過フィルタを１つ以上有する第２濾過手段と、一端が上記手動ポンプに接続された第１配管と、一端が上記収容ケースの第１接続孔に収容空間側から接続され上記第１配管の他端が上記一端に収容ケース外側から着脱可能に接続されるとともに、他端が上記第１濾過手段に接続された第２配管と、一端が上記第１濾過手段に接続されるとともに、他端が上記第２濾過手段に接続された第３配管と、一端が上記第２濾過手段に接続されるとともに、他端が上記収容ケースの第２接続孔に接続され濾過後の浄水を収容ケース外に導出する第４配管と、一端が上記第２濾過手段に接続されるとともに、他端が上記収容ケースの第３接続孔に接続され濾過後の汚水を収容ケース外に排出する第５配管とを備えたことを特徴とする。
【０００９】
第２の発明では、第１の発明において、上記収容ケースは、直方体形状をなし、上記機枠は、上記手動ポンプを支持する上部フレーム、上記収容ケース下面に対応する底部フレーム、上記上部フレームと上記底部フレームとを後側で連結する後部フレーム、及び上記上部フレームと上記底部フレームとを前側で連結する前部フレームを備え、これらフレーム間に上記収容ケースを囲う囲み空間が形成されていることを特徴とする。
【００１０】
第３の発明では、第２の発明において、上記後部フレームは、上記座部フレームの水平方向全長に亘って設けられ、該後部フレームには、上記収容ケースを上記囲み空間から引き出す際に水平方向にスライドさせるスライド手段が設けられていることを特徴とする。
【００１１】
第４の発明では、第３の発明において、上記収容ケースは、上記第１及び第２濾過手段を上記収容空間に出し入れするための開口を有するケース本体と、該ケース本体に回動可能に軸支され、上記開口を開閉する蓋体とを備え、上記前部フレームは、上記底部フレームの一端から他端側中途部に亘って設けられ、上記収容ケースが蓋体を前方に向けて上記囲み空間に収められた状態で上記蓋体の前方に立ちはだかっていることを特徴とする。
【発明の効果】
【００１２】
第１の発明では、全てのフィルタを交換する際、第１配管を第１接続孔から取り外すとともに機枠から使用済みの各フィルタを収容する収容ケースを取り外し、予め用意しておいた未使用の各フィルタを収容する収容ケースを機枠に取り付けて第１配管を第１接続孔に接続するだけで交換作業が終了する。したがって、特許文献１の如き各フィルタ毎に配管の取り付け・取り外しを行う必要がなく、全てのフィルタの交換作業が簡単で、且つ、各フィルタ同士の接続を正確に行うことができる。また、各フィルタが収容ケースに覆われているので、埃等に晒されにくく経年劣化を抑制できる。
【００１３】
第２の発明では、収容ケースが、各フレームに囲われているので、災害時に重量物が手動式浄水機に接触しても上記収容ケースを保護することができる。
【００１４】
第３の発明では、囲み空間に対して収容ケースの引き出し・押し込み作業を行う際、スライド手段によって収容ケースが水平方向に案内されるので、作業が簡単容易である。
【００１５】
第４の発明では、収容ケースが囲み空間に収められた状態で、収容ケースの蓋体を開こうとすると、蓋体が前部フレームに接触して開かない。したがって、蓋体を開いて収容空間の各フィルタに悪戯をするといったことを防ぐことができる。
【図面の簡単な説明】
【００１６】
【図１】本発明の実施形態に係る手動式浄水機の斜視図である。
【図２】本発明の実施形態に係る手動式浄水機の正面図である。
【図３】（ａ）は、本発明の実施形態に手動式浄水機の背面図であり、（ｂ）は、（ａ）のＡ−Ａ線における断面図である。
【図４】本発明の実施形態に係る手動式浄水機の正面図であり、収容ケースの蓋体を開いた状態を示す。
【発明を実施するための形態】
【００１７】
以下、本発明の実施形態を図面に基づいて詳細に説明する。尚、以下の好ましい実施形態の説明は、本質的に例示に過ぎない。
【００１８】
図１及び図２は、本発明の実施形態に係る手動式浄水機１を示す。該手動式浄水機１は、地震や台風等の災害時のように電気が使えない状況下になったときのために、手動で原水から浄水を製造するためのものであり、上記手動式浄水機１の骨格をなすステンレス製機枠２と、原水を汲み上げる手動ポンプ３と、扁平な略長方形状のステンレス製収容ケース４とを備えている。
【００１９】
上記機枠２は、正方形の板状上部フレーム２１、上記収容ケース４の下面に対応する長方形枠状の底部フレーム２２、上記上部フレーム２１と上記底部フレーム２２とを後側で連結する後部フレーム２３、及び上記上部フレーム２１と上記底部フレーム２２とを前側で連結する前部フレーム２４を備え、これらフレーム間には、上記収容ケース４を囲う囲み空間Ｓ１が形成されている。
【００２０】
上記上部フレーム２１の上面には、上記手動ポンプ３及び蛇口５が取り付けられている。
【００２１】
上記底部フレーム２２の長手方向一端両隅には、一対のキャスター２６が外側方に突設され、上記手動式浄水機１は、使用状態においては上記底部フレーム２２が地面に接触して安定した状態となる一方、上記両キャスター２６を支点に傾けることにより、簡単に運搬できるようになっている。
【００２２】
上記後部フレーム２３は、幅広の門型枠状をなし、上記底部フレーム２２の水平方向全長に亘って設けられている。
【００２３】
また、後部フレーム２３の上下略中央には、図３（ａ）に示すように、水平方向に延びるスライドフレーム２７が設けられている。
【００２４】
該スライドフレーム２７は、図３（ｂ）に示すように、断面略Ｃ字状をなし、囲み空間Ｓ１側には、水平方向に延びる長孔２７ａが貫通形成されている。
【００２５】
さらに、上記底部フレーム２２の長手方向他端寄りには、上方に延びる補強フレーム２８が設けられ、該補強フレーム２８の上端に上記スライドフレーム２７が連結支持されている。
【００２６】
また、上記前部フレーム２４は、幅狭の門型枠状をなし、上記底部フレーム２２の一端から他端側中途部に亘って設けられている。
【００２７】
上記手動ポンプ３は、図１に示すように、上記上部フレーム２１に支持され、上下に延びるポンプ本体３ａと、該ポンプ本体３ａに一端が揺動可能に軸支された棒状の操作レバー３ｂとを備えている。
【００２８】
上記ポンプ本体３ａ下部には、囲み空間Ｓ１に突出する略Ｌ字状のエルボ管３１が設けられている。該エルボ管３１には、吸入配管３３の一端が接続され、該吸入配管３３の他端は、図示しない原水を貯留している場所（例えば、学校のプール等）に浸されている。      
【００２９】
一方、上記ポンプ本体３ａ上部側方には、Ｔ字管３２が設けられ、該Ｔ字管３２の上部には、圧力計３４が、下部には、第１配管１０ａの一端が接続されている。
【００３０】
上記収容ケース４は、図４に示すように、内部に収容空間Ｓ２を有し、開口４１ａを前側（前部フレーム２４側）に有するケース本体４１と、開口４１ａの下端縁に回動可能に軸支され、上記開口４１ａを開閉する蓋体４２とを備えている。
【００３１】
該蓋体４２は、上記開口４１ａを閉じた際、Ｔ型ファスナーと呼ばれる固定金具４５で上記ケース本体４１に固定され、上記収容ケース４が蓋体４２を前方に向けて上記囲み空間Ｓ１に収められた状態で上記蓋体４２の前方に上記前部フレーム２４が立ちはだかるようになっている。
【００３２】
上記ケース本体４１の一側面上部には、図１に示すように、第１接続孔４１ｂが貫通形成され、上記ケース本体４１の一側面下部には、第２及び第３接続孔４１ｃ、４１ｄが並んで貫通形成されている。
【００３３】
上記ケース本体４１の後面には、軸部４３ａが外側に突出するようにボルト４３が水平方向に所定の間隔をあけて一対溶着されている（図３参照）。
【００３４】
該各ボルト４３の軸部４３ａは、上記スライドフレーム２７の長孔２７ａに挿通していて、蝶ナット４４を軸部４３ａに螺合させることにより、上記スライドフレーム２７（機枠２の下部）に上記収容ケース４を着脱可能に取り付けるようになっている。
【００３５】
また、上記スライドフレーム２７、ボルト４３及び蝶ナット４４は、スライド手段６を構成していて、上記蝶ナット４４を少し緩めることにより、上記収容ケース４を上記囲み空間Ｓ１から引き出す際に水平方向（反手動ポンプ３側）に蓋体４２の前方に上記前部フレーム２４が立ちはだからない位置（図４参照）までスライド可能となっている。
【００３６】
上記収容空間Ｓ２の反手動ポンプ３側上部には、カーボンフィルタで形成された第１フィルタ７ａが一対並んで収容され、この両第１フィルタ７ａは直列に繋がれて第１濾過手段７を構成している。
【００３７】
また、上記収容空間Ｓ２の手動ポンプ３側には、上記カーボンフィルタより孔径の小さい逆浸透膜で形成された第２フィルタ８ａが３つ並んで収容され、これら第２フィルタ８ａで第２濾過手段８を構成している。
【００３８】
さらに、上記収容空間Ｓ２には、第２配管１０ｂ、第３配管１０ｃ、第４配管１０ｄ及び第５配管１０ｅが配索されている。
【００３９】
上記第２配管１０ｂの一端は、上記収容ケース４の第１接続孔４１ｂに収容空間Ｓ２側から接続され、他端は、原水流れ方向上流側の第１フィルタ７ａに接続されている。そして、上記第１配管１０ａの一端は、上記第２配管１０ｂの一端に上記収容ケース４の外側から着脱可能に接続されるようになっている。
【００４０】
上記第３配管１０ｃの一端は、原水流れ方向下流側に位置する第１フィルタ７ａに接続され、他端は、枝分かれして上記各第２フィルタ８ａのそれぞれに接続されている。
【００４１】
上記第４配管１０ｄの一端は、枝分かれして上記各第２フィルタ８ａのそれぞれに接続され、他端は、上記収容ケース４の第２接続孔４１ｃにされていて、濾過後の浄水を収容ケース４外に導出するようになっている。
【００４２】
上記第５配管１０ｅの一端は、枝分かれして上記各第２フィルタ８ａのそれぞれに接続され、他端は、上記収容ケース４の第３接続孔４１ｄに接続されていて、濾過後の汚水を収容ケース４外に排出するようになっている。
【００４３】
また、上記第２接続孔４１ｃには、収容ケース４の外側から第６配管１０ｆの一端が着脱可能に接続され、該第６配管１０ｆの他端は、上記蛇口５に接続されている。
【００４４】
さらに、上記第３接続孔４１ｄには、収容ケース４の外側から排出管１０ｇの一端が着脱可能に接続されている。
【００４５】
次に、上記手動式浄水機１のフィルタ交換について説明する。
【００４６】
上記手動式浄水機１を使用した後、上記収容ケース４の第１接続孔４１ｂ、第２接続孔４１ｃ及び第３接続孔４１ｄから第１配管１０ａ、第６配管１０ｆ及び排出管１０ｇを引き抜く。
【００４７】
次いで、各蝶ナット４４を少し緩めて使用済みの各第１及び第２フィルタ７ａ、８ａが収容された収容ケース４を反手動ポンプ３側に水平方向に引き出し、蓋体４２の前方に前部フレーム２４が立ちはだからない位置までスライドフレーム２７に沿ってスライドさせる。
【００４８】
しかる後、各蝶ナット４４を各ボルト４３から取り外し、収容ケース４をスライドフレーム２７から取り外す。
【００４９】
その後、予め用意しておいた未使用の各第１及び第２フィルタ７ａ、８ａが収容された収容ケース４をスライドフレーム２７に取り付け、各ボルト４３に各蝶ナット４４を少し緩めた状態で螺合させる。
【００５０】
そして、収容ケース４を手動ポンプ３側に水平方向に押し込み、囲み空間Ｓ１に収められる位置までスライドフレーム２７に沿ってスライドさせ、囲み空間Ｓ１に収められた状態で各蝶ナット４４をしっかりと各ボルト４３に螺合させる。
【００５１】
最後に、上記収容ケース４の第１接続孔４１ｂ、第２接続孔４１ｃ及び第３接続孔４１ｄに第１配管１０ａ、第６配管１０ｆ及び排出管１０ｇを接続して交換作業を終了する。
【００５２】
次に、収容ケース４内をメンテナンスする場合について説明する。
【００５３】
まず、各蝶ナット４４を少し緩めて使用済みの第１及び第２フィルタ７ａ、８ａが収容された収容ケース４を反手動ポンプ３側に水平方向に引き出し、蓋体４２の前方に前部フレーム２４が立ちはだからない位置までスライドフレーム２７に沿ってスライドさせる。
【００５４】
次いで、固定金具４５による蓋体４２のケース本体４１への固定を外し、蓋体４２をケース本体４１に対して回動させる。すると、図４に示すように、収容ケース４の収容空間Ｓ２が開口４１ａから見えるようになるので、機枠２から収容ケース４を完全に切り離すことなく各フィルタや配管のメンテナンスを行うことができる。
【００５５】
しかる後、蓋体４２をケース本体４１に対して回動させて開口４１ａを閉じ、固定金具４５でケース本体４１に蓋体４２を固定する。
【００５６】
その後、収容ケース４を手動ポンプ３側に水平方向に押し込み、囲み空間Ｓ１に収められる位置までスライドフレーム２７に沿ってスライドさせ、囲み空間Ｓ１に収められた状態で各蝶ナット４４をしっかりと各ボルト４３に螺合させる。
【００５７】
以上より、本発明の実施形態によると、全ての第１フィルタ７ａ及び第２フィルタ８ａを交換する際、第１配管１０ａを第１接続孔４１ｂから取り外すとともに機枠２から使用済みの各第１フィルタ７ａ及び第２フィルタ８ａを収容する収容ケース４を取り外し、予め用意しておいた未使用の各第１フィルタ７ａ及び第２フィルタ８ａを収容する収容ケース４を機枠２に取り付けて第１配管１０ａを第１接続孔４１ｂに接続するだけで交換作業が終了する。したがって、特許文献１の如き各フィルタ毎に配管の取り付け・取り外しを行う必要がなく、全ての第１フィルタ７ａ及び第２フィルタ８ａの交換作業が簡単で、且つ、各第１フィルタ７ａ及び第２フィルタ８ａの接続を正確に行うことができる。また、各第１フィルタ７ａ及び第２フィルタ８ａが収容ケース４に覆われているので、埃等に晒されにくく経年劣化を抑制できる。
【００５８】
また、収容ケース４が、上部フレーム２１、底部フレーム２２、後部フレーム２３及び前部フレーム２４に囲われているので、災害時に重量物が手動式浄水機１に接触しても上記収容ケース４を保護することができる。
【００５９】
さらに、囲み空間Ｓ１に対して収容ケース４の引き出し・押し込み作業を行う際、スライド手段６によって収容ケース４が水平方向に案内されるので、作業が簡単容易である。
【００６０】
それに加えて、収容ケース４が囲み空間Ｓ１に収められた状態で、収容ケース４の蓋体４２を開こうとすると、蓋体４２が前部フレーム２４に接触して開かない。したがって、蓋体４２を開いて収容空間Ｓ２の各第１フィルタ７ａ及び第２フィルタ８ａに悪戯をするといったこと防ぐことができる。
【００６１】
尚、本発明の実施形態では、第１濾過手段７にカーボンフィルタで形成された第１フィルタ７ａを用いているが、これに限らず、例えば、セディメントフィルタで形成されたフィルタを用いてもよいし、逆浸透膜の孔径より大きいフィルタで形成されていればよい。
【００６２】
また、本発明の実施形態では、第１濾過手段７は２つの第１フィルタ７ａで構成されているが、１つ以上で構成されていればよく、さらには、他のフィルタと組み合わせて構成してもよい。
【００６３】
さらに、本発明の実施形態では、第２濾過手段８は３つの第２フィルタ８ａで構成されているが、１つ以上で構成されていればよい。
【００６４】
尚、本発明の手動式浄水機１における第１配管１０ａの第１接続孔４１ｂへの接続を外せば、通常の手動ポンプとして使用することができる。
【産業上の利用可能性】
【００６５】
本発明は、災害等の際に、原水から浄水を製造する手動式浄水機に適している。
【符号の説明】
【００６６】
１        手動式浄水機
２        機枠
３        手動ポンプ
４        収容ケース
６        スライド手段
７        第１濾過手段
８        第２濾過手段
１０ａ        第１配管
１０ｂ        第２配管
１０ｃ        第３配管
１０ｄ        第４配管
１０ｅ        第５配管
２１        上部フレーム
２２        底部フレーム
２３        後部フレーム
２４        前部フレーム
４１        ケース本体
４１ｂ        第１接続孔
４１ｃ        第２接続孔
４１ｄ        第３接続孔
４２        蓋体
Ｓ１        囲み空間
Ｓ２        収容空間
【図１】
2013248587.tif 000003
【図２】
2013248587.tif 000004
【図３】
2013248587.tif 000005
【図４】
2013248587.tif 000006